(57)【要約】      （修正有）【課題】寄せ餌をいその周りの海底層に直接に投与する寄せ餌投与装置の提供。【解決手段】餌を入れることが可能な半球型の第１ケース１と、第１ケースよりわずかに小さく第１ケースの内部に入れることが可能な半球型の第２ケース２と、第１、２ケースが結合された状態で回転できるように第１、２ケースの対応位置に形成された回転突起３及び回転孔４と、第１、２ケースが両者で球形状になった時にその位置を固定することができ、そして第２ケースを引いた時に開放状態になるように第１、２ケースの接触部分に形成された一時固定用突起５と、第１ケースの外部に突出形成されていると共に釣り糸が通過できる貫通孔６をもつガイド７と、第２ケース２の外周に突出形成されて釣糸が結ばれるように形成された固定突起８と、該固定突起に一端が固定されて該ガイド７を通過するように配置されて釣竿に堅固に結ばれている釣糸９で構成されている海釣り用の寄せ餌投与装置。【選択図】図１
0003111858.tif 000002
【実用新案登録請求の範囲】
【請求項１】
寄せ餌用の餌を入れることが可能な半球型の第１ケースと、第１ケースよりわずかに小さく第１ケース内部に入れることが可能な半球型の第２ケースと、第１ケースと第２ケースが結合された状態で回転できるように第１ケースと第２ケースの対応位置に形成された回転突起及び回転孔と、第１ケースと第２ケースが両者で球形状になった時にその位置を固定することができそして第２ケースを引いた時に開放状態になるように第１ケースと第２ケースの接触部分に形成された一時固定用突起と、第１ケースの外部に突出形成されていると共に釣糸が通過できる貫通孔をもつガイドと、第２ケースの外周に突出形成されて釣糸が結ばれるように形成された固定突起と、該固定突起に一端が固定されて該ガイドを通過して釣竿に堅固に結ばれている釣糸とからなることを特徴とする海釣り用の寄せ餌投与装置。
【請求項２】
該釣糸に第１ケースと第２ケースを海中に沈みやすくする重りが取りつけられている請求項１記載の装置。
【考案の詳細な説明】
【技術分野】
【０００１】
本考案は海釣り用の寄せ餌投与装置に関するものであって、より詳細には海の釣りをする際、寄せ餌で使われるオキアミなどを釣り場所に振り撒く際に、寄せ餌の無駄使い及び寄せ餌効率の低下を防止することができる海釣り用の寄せ餌投与装置に関するものである。
【背景技術】
【０００２】
一般的に、海釣りをする際には、釣り針に餌を付けて使うと共に釣りの対象となる魚類を集めるためにオキアミなどを振り撒く撒き餌又は寄せ餌を行う。このように、釣り糸を垂らす前にオキアミなどの寄せ餌を振り撒くと、これを好きな魚類（対象魚）が周辺にたくさん集まってきて、釣果が上がることになる。
【考案の開示】
【考案が解決しようとする課題】
【０００３】
しかし、上記の様に、釣りをするために海面上にオキアミなどの寄せ餌を振り撒くと、寄せ餌を広範囲にたくさん振り撒かなければならないと共に、海面近傍で棲息する雑魚類が寄せ餌の大半を食べてしまって寄せ餌が海底層にまで届かないことが多い。そうすると、海底層で棲息する魚類を対象魚とする場合には、寄せ餌効果を発揮できないという問題が生ずる。上記の様に、オキアミなどを海面上にたくさん振り撒いても海流などの影響で広範囲に拡散してしまうので、対応魚が海面近傍で棲息する場合も、寄せ餌効果は大幅に制限されることになる。
【０００４】
したがって、本考案の目的は、上記の問題点を解決することにあり、特に寄せ餌を海底層が典型例とする対象魚が棲息する所定位置近傍に集中的に振り撒くようにして雑魚類による釣りの邪魔や寄せ餌の不必要な拡散を阻んで、寄せ餌効果を高めるようにする海釣り用の寄せ餌投与装置を提供することにある。
すなわち、海面上にオキアミなどの寄せ餌を振り撒かないで、迅速に対象魚の棲息する海底層などの所定位置に投与して、寄せ餌効果を極大化させると共に、より効果的な釣りを可能にする寄せ餌投与装置を提供するのが本考案の目的である。
【課題を解決するための手段】
【０００５】
上記の目的を実現するために本考案は、オキアミなどの寄せ餌用の餌を入れることが可能な半球型の第１ケースと、第１ケースよりわずかに小さく第１ケース内部に入れることが可能な大きさの半球型の第２ケースと、第１ケースと第２ケースが結合された状態で回転されるように第１ケースと第２ケースの対応位置に形成された回転突起及び回転孔と、第１ケースと第２ケースが両者で球形状になった時にその位置を固定することができ、そして第２ケースを引いた時に開放状態になるように第１ケースと第２ケースの接触部分に形成された一部固定用突起と、第１ケースの外部に突出形成されていると共に釣糸が通過できる貫通孔をもつガイドと、第２ケースの外周に突出形成されて釣糸が結ばれるように形成された固定突起と、該固定突起に一端が固定されていると共に該ガイドを通過して釣竿に堅固に結ばれる釣糸から構成されることを特徴とする。
【考案の効果】
【０００６】
上述したように本考案は海釣りをしながら望む場所だけにオキアミなどの寄せ餌を振り撒くことができるので、オキアミ等の値段の高い寄せ餌の無駄使いを阻むことができるだけではなく、少ない費用で寄せ餌の効果を極大化させることができる。
【考案を実施するための最良の形態】
【０００７】
図１と図２は本考案による海釣り用の寄せ餌投与装置を示した断面図であって、一定直径に製作された半球型の第１ケース（１）と、上記の第１ケース（１）よりわずかに小さく形成されて第１ケース（１）内部に入れることができるように構成された半球型の第２ケース（２）と、上記の第１、２ケース（１）、（２）が結合された状態で回転されるように第１、２ケース（１）、（２）の対応位置に形成された回転突起（３）及び回転孔（４）と、上記の第１、２ケース（１）、（２）が球形状になった時にその位置を固定し、また所定の力で第２ケース（２）を引いた時に開放状態になるように第１、２ケース（１）、（２）の接触部分（特に第２ケースの両端）に形成された２個の一時固定用（わだかまり）突起（５）と、上記の第１ケース（１）の外部中央に突出形成されていると共に釣糸が通過されるように貫通孔（６）が形成されたガイド（７）と、上記の第２ケース（１）の外周に突出形成されて釣糸が結ばれるように形成された固定突起（８）と、上記の固定突起（８）に一端が固定されて上記のガイド（７）を通過するように配置されて釣竿（図示省略）に堅固に結ばれている釣糸（９）からなる。
【０００８】
また、上記の釣糸（９）には第１、２ケース（１）、（２）が海水中によく届くように鉛などの重し（１０）が結合されており、さらに上記の第１、２ケース（１）、（２）の入れ替えができるように釣り糸（９）に形成された入れ替え掛けがね（クリップ）（１１）が設けられている。
すなわち、上記の半球型の第１、２ケース（１）、（２）に海釣り用の寄せ餌であるオキアミなどを入れた後、これを回転突起（３）を中心に回転させれば、一時固定用突起（５）によって第１、２ケース（１）、（２）が閉まりながら球形状となり、その内部には寄せ餌が保存された状態になるので、第１、２ケース（１）、（２）を海中に入れて上記の釣糸（９）を引くことによって第２ケース（２）が開かれながら内部の寄せ餌が海中に広がる。このようにして望む場所にだけに寄せ餌を投与することができる。
【０００９】
本考案の作用効果を説明すれば、海釣りをするために海に釣り手が到着すると自分が釣りをする地点を選択した後、その部分にオキアミなどの寄せ餌を投与する際に、上記の第１、２ケース（１）、（２）を取り出す。
第１、２ケース（１）、（２）が閉じて球形状になっている場合は、回転突起（３）を中心に両者間を開くことによって、上記の一時固定用突起（５）が離隔されながら、第１、２ケース（１）、（２）が開かれるようになる。
【００１０】
第１、２ケース（１）、（２）が開いたら、その内部に所定量のオキアミなどの寄せ餌を入れて、再び第１、２ケース（１）、（２）を閉める。そうすると、上記の一時固定用突起（５）によって第１、２ケース（１）、（２）が比較的に堅く結合されて一定の力で第１、２ケース（１）、（２）を引かなければ開かれない状態になる。
第１、２ケース（１）、（２）内部にオキアミなどの寄せ餌を入れたら、上記の第１、２ケース（１、２）に連がれている釣糸（９）を取って、または、釣糸（９）が結ばれている釣竿を取って第１、２ケース（１）、（２）を望む海中に投げこむ。
もちろん、上記の第１、２ケース（１）、（２）を海中に投げこむ際には第１、２ケース（１）、（２）が開かないように比較的に弱い力で投げるべきである。
【００１１】
第１、２ケース（１）、（２）を海中に投げたら、釣糸（９）に結合されている鉛などの重り（１０）の重さによって第１、２ケース（１）、（２）が早く沈む。上記の第１、２ケース（１）、（２）が沈んだ後に釣糸（９）を上に強く引く。
釣糸（９）を上に引くと、釣糸（９）の一端が固定突起（８）に結ばれているので、第２ケース（２）が回転突起（３）を中心に回転力を受けられて、上記の回転力が一時固定用突起（５）の固定力を超えるほどになると、第２ケース（２）が第１ケース（１）との接触を解かれて両者間が開かれるのである。
第２ケース（２）が開くと、その内部のオキアミなどの寄せ餌が海中に散らばりながら寄せ餌の役目をするので、釣りをする人が望む場所だけに集中的に寄せ餌を投入することができる。かくして、極めて少ない量の寄せ餌最大の寄せ餌効果が得られる。
【００１２】
すなわち、従来と同様に海水上にオキアミなどをそのまま広範囲に振り撒くのではなく、第１、２ケース（１）、（２）にオキアミなどを入れて望む場所だけに投入することが出来るので、少量でも十分な寄せ餌効果を得られるのである。
勿論、上記の第１、２ケース（１）、（２）が破損されるとかすれば入れ替えクリップ（１１）を通じて破損された第１、２ケース（１）、（２）をとり除いて新しい第１、２ケース（１）、（２）を連結することにより容易に入れ替えることができるようになる。
【図面の簡単な説明】
【００１３】
【図１】本考案に従う海釣り用の寄せ餌投与装置を示す断面図。
【図２】図１において寄せ餌投与装置が開かれた状態を示す断面図。
【図３】図１において第１ケースを示す正断面図。
【図４】図１において第２ケースを示す正断面図。
【符号の説明】
【００１４】
１  第１ケース
２  第２ケース
３  回転突起
４  回転孔
５  一時固定用突起
６  貫通孔
７  ガイド
８  固定突起
９  釣糸
１０  鉛
１１  入れ替えクリップ
【図１】
0003111858.tif 000003
【図２】
0003111858.tif 000004
【図３】
0003111858.tif 000005
【図４】
0003111858.tif 000006